【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
画像を形成するための画像形成領域の中に設定された差込領域に差し込まれるコンテンツデータを、データベースから取得するコンテンツデータ取得手段と、
前記コンテンツデータ取得手段により取得されたコンテンツデータを、前記画像を形成する画像形成装置に送信するコンテンツデータ送信手段と、
前記コンテンツデータ送信手段により送信されたコンテンツデータの識別情報を、前記画像形成装置から取得する識別情報取得手段と、
前記識別情報を前記コンテンツデータの代わりに用いて、前記画像を形成するための画像形成用データを生成する画像形成用データ生成手段と、
前記画像形成用データ生成手段により生成された画像形成用データを、前記画像形成装置に送信する画像形成用データ送信手段とを有することを特徴とするデータ処理装置。
【請求項２】
前記コンテンツデータと、そのコンテンツデータの識別情報とを対応付けて記憶する記憶手段と、
前記画像形成領域の中に設定された差込領域に差し込まれるコンテンツデータの識別情報が、前記記憶手段に記憶されているか否かを判定する判定手段とを有し、
前記画像形成用データ生成手段は、前記画像を形成するために必要なコンテンツデータの識別情報が、前記記憶手段に記憶されていることが、前記判定手段により判定された場合には、その識別情報を前記コンテンツデータの代わりに用いて、前記画像を形成するための画像形成用データを生成することを特徴とする請求項１に記載のデータ処理装置。
【請求項３】
前記コンテンツデータ取得手段により取得されたコンテンツデータの識別情報を、そのコンテンツデータの代わりに用いるか否かを、予め定められた条件に基づいて判定する第２の判定手段を有し、
前記コンテンツデータ送信手段は、前記コンテンツデータ取得手段により取得されたコンテンツデータの識別情報を、そのコンテンツデータの代わりに用いることが、前記第２の判定手段により判定された場合に、そのコンテンツデータを、前記画像を形成する画像形成装置に送信し、
前記画像形成用データ生成手段は、前記コンテンツデータ取得手段により取得されたコンテンツデータの識別情報を、そのコンテンツデータの代わりに用いないことが、前記第２の判定手段により判定された場合には、そのコンテンツデータを用いて、前記画像形成用データを生成することを特徴とする請求項１又は２に記載のデータ処理装置。
【請求項４】
画像を形成するための画像形成領域の中に設定された差込領域に差し込まれるコンテンツデータを、前記画像を形成するための画像形成用データを生成するデータ処理装置から受信するコンテンツデータ受信手段と、
前記コンテンツデータ受信手段により受信されたコンテンツデータの識別情報を生成する識別情報生成手段と、
前記識別情報生成手段により生成された識別情報を、前記データ処理装置に送信する識別情報送信手段と、
前記コンテンツデータ受信手段により受信されたコンテンツデータを画像化した画像化データを生成する画像化データ生成手段と、
前記識別情報生成手段により生成された識別情報と、その識別情報により識別されるコンテンツデータを画像化した画像化データとを対応付けて記憶する記憶手段と、
前記画像を形成するための画像形成用データを、データ処理装置から受信する画像形成用データ受信手段と、
前記画像形成用データ受信手段により受信された画像形成用データに基づいて、前記画像を形成する画像形成手段とを有し、
前記画像形成手段は、前記画像形成用データ受信手段により受信された画像形成用データに前記識別情報が含まれている場合には、その識別情報に対応付けられて前記記憶手段により記憶された画像化データを用いて、前記画像を形成することを特徴とする画像形成装置。
【請求項５】
前記画像化データ生成手段は、前記コンテンツデータ受信手段により受信されたコンテンツデータをラスタライズしてラスタデータを生成することを特徴とする請求項４に記載の画像形成装置。
【請求項６】
請求項１〜３の何れか１項に記載のデータ処理装置と、請求項４又は５に記載の画像形成装置とを有することを特徴とする画像形成システム。
【請求項７】
画像を形成するための画像形成領域の中に設定された差込領域に差し込まれるコンテンツデータを、データベースから取得するコンテンツデータ取得ステップと、
前記コンテンツデータ取得ステップにより取得されたコンテンツデータを、前記画像を形成する画像形成装置に送信するコンテンツデータ送信ステップと、
前記コンテンツデータ送信ステップにより送信されたコンテンツデータの識別情報を、前記画像形成装置から取得する識別情報取得ステップと、
前記識別情報を前記コンテンツデータの代わりに用いて、前記画像を形成するための画像形成用データを生成する画像形成用データ生成ステップと、
前記画像形成用データ生成ステップにより生成された画像形成用データを、前記画像形成装置に送信する画像形成用データ送信ステップとを有することを特徴とするデータ処理方法。
【請求項８】
前記コンテンツデータと、そのコンテンツデータの識別情報とを対応付けて記憶する記憶ステップと、
前記画像形成領域の中に設定された差込領域に差し込まれるコンテンツデータの識別情報が、前記記憶ステップに記憶されているか否かを判定する判定ステップとを有し、
前記画像形成用データ生成ステップは、前記画像を形成するために必要なコンテンツデータの識別情報が、前記記憶ステップに記憶されていることが、前記判定ステップにより判定された場合には、その識別情報を前記コンテンツデータの代わりに用いて、前記画像を形成するための画像形成用データを生成することを特徴とする請求項７に記載のデータ処理方法。
【請求項９】
前記コンテンツデータ取得ステップにより取得されたコンテンツデータの識別情報を、そのコンテンツデータの代わりに用いるか否かを、予め定められた条件に基づいて判定する第２の判定ステップを有し、
前記コンテンツデータ送信ステップは、前記コンテンツデータ取得ステップにより取得されたコンテンツデータの識別情報を、そのコンテンツデータの代わりに用いることが、前記第２の判定ステップにより判定された場合に、そのコンテンツデータを、前記画像を形成する画像形成装置に送信し、
前記画像形成用データ生成ステップは、前記コンテンツデータ取得ステップにより取得されたコンテンツデータの識別情報を、そのコンテンツデータの代わりに用いないことが、前記第２の判定ステップにより判定された場合には、そのコンテンツデータを用いて、前記画像形成用データを生成することを特徴とする請求項７又は８に記載のデータ処理方法。
【請求項１０】
画像を形成するための画像形成領域の中に設定された差込領域に差し込まれるコンテンツデータを、前記画像を形成するための画像形成用データを生成するデータ処理装置から受信するコンテンツデータ受信ステップと、
前記コンテンツデータ受信ステップにより受信されたコンテンツデータの識別情報を生成する識別情報生成ステップと、
前記識別情報生成ステップにより生成された識別情報を、前記データ処理装置に送信する識別情報送信ステップと、
前記コンテンツデータ受信ステップにより受信されたコンテンツデータを画像化した画像化データを生成する画像化データ生成ステップと、
前記識別情報生成ステップにより生成された識別情報と、その識別情報により識別されるコンテンツデータを画像化した画像化データとを対応付けて記憶する記憶ステップと、
前記画像を形成するための画像形成用データを、データ処理装置から受信する画像形成用データ受信ステップと、
前記画像形成用データ受信ステップにより受信された画像形成用データに基づいて、前記画像を形成する画像形成ステップとを有し、
前記画像形成ステップは、前記画像形成用データ受信ステップにより受信された画像形成用データに前記識別情報が含まれている場合には、その識別情報に対応付けられて前記記憶ステップにより記憶された画像化データを用いて、前記画像を形成することを特徴とする画像形成方法。
【請求項１１】
前記画像化データ生成ステップは、前記コンテンツデータ受信ステップにより受信されたコンテンツデータをラスタライズしてラスタデータを生成することを特徴とする請求項１０に記載の画像形成方法。
【請求項１２】
画像を形成するための画像形成領域の中に設定された差込領域に差し込まれるコンテンツデータを、データベースから取得するコンテンツデータ取得ステップと、
前記コンテンツデータ取得ステップにより取得されたコンテンツデータを、前記画像を形成する画像形成装置に送信するコンテンツデータ送信ステップと、
前記コンテンツデータ送信ステップにより送信されたコンテンツデータの識別情報を、前記画像形成装置から取得する識別情報取得ステップと、
前記識別情報を前記コンテンツデータの代わりに用いて、前記画像を形成するための画像形成用データを生成する画像形成用データ生成ステップと、
前記画像形成用データ生成ステップにより生成された画像形成用データを、前記画像形成装置に送信する画像形成用データ送信ステップとをコンピュータに実行させることを特徴とするコンピュータプログラム。
【請求項１３】
画像を形成するための画像形成領域の中に設定された差込領域に差し込まれるコンテンツデータを、前記画像を形成するための画像形成用データを生成するデータ処理装置から受信するコンテンツデータ受信ステップと、
前記コンテンツデータ受信ステップにより受信されたコンテンツデータの識別情報を生成する識別情報生成ステップと、
前記識別情報生成ステップにより生成された識別情報を、前記データ処理装置に送信する識別情報送信ステップと、
前記識別情報生成ステップにより生成された識別情報と、その識別情報により識別されるコンテンツデータを画像化した画像化データとを対応付けて記憶する記憶ステップと、  前記コンテンツデータ受信ステップにより受信されたコンテンツデータを画像化した画像化データを生成する画像化データ生成ステップと、
前記識別情報生成ステップにより生成された識別情報と、その識別情報により識別されるコンテンツデータを画像化した画像化データとを対応付けて記憶する記憶ステップと、
前記画像を形成するための画像形成用データを、データ処理装置から受信する画像形成用データ受信ステップと、
前記画像形成用データ受信ステップにより受信された画像形成用データに基づいて、前記画像を形成する画像形成ステップとをコンピュータに実行させ、
前記画像形成ステップは、前記画像形成用データ受信ステップにより受信された画像形成用データに前記識別情報が含まれている場合には、その識別情報に対応付けられて前記記憶ステップにより記憶された画像化データを用いて、前記画像を形成することを特徴とするコンピュータプログラム。